(57)【要約】【課題】より施工作業性に優れた照明器具を提供する。【解決手段】照明器具１０は、光源１ａを保持する灯具部１と、灯具部１に結合する取付部材２と、を備えている。取付部材２は、被設置部１１に取り付けられる。灯具部１および取付部材２のいずれか一方には、軸部４が設けられている。灯具部１および取付部材２の他方には、軸部４を案内する案内路５ａを備えている。案内路５ａは、軸部４の軸方向と直交する方向に沿って、軸部４を挿入する開口端５ａａから終端位置５ａｂまで軸部４を案内するように構成されている。灯具部１と取付部材２とは、軸部４が案内路５ａの途中にある場合、軸部４を中心に回転可能に構成され、軸部４が終端位置５ａｂにある場合、軸部４を中心に回転不能に構成されている。【選択図】図１
2017073233.tif 000002
【特許請求の範囲】
【請求項１】
光源を保持する灯具部と、前記灯具部に結合し被設置部に取り付けられる取付部材と、を備え、
前記灯具部および前記取付部材のいずれか一方には、軸部が設けられており、前記灯具部および前記取付部材の他方には、前記軸部を案内する案内路を備えており、
前記案内路は、前記軸部の軸方向と直交する方向に沿って、前記軸部を挿入する開口端から前記軸部を受ける終端位置まで前記軸部を案内するように構成され、
前記灯具部と前記取付部材とは、前記軸部が前記開口端から前記終端位置までの前記案内路の途中にある場合、前記軸部を中心に回転可能であり、
かつ前記軸部が前記終端位置にある場合、前記軸部を中心に回転不能に構成されていることを特徴とする照明器具。
【請求項２】
前記灯具部と前記取付部材とを結合する結合部を備え、
前記軸部は、前記灯具部および前記取付部材のいずれか一方から突出するボスであり、
前記結合部は、前記ボスが前記終端位置にある場合、前記ボスに固定されることで、前記灯具部と前記取付部材とを結合するように構成されていることを特徴とする請求項１に記載の照明器具。
【発明の詳細な説明】
【技術分野】
【０００１】
本発明は、照明器具に関し、特に、光の照射角度を調整可能な照明器具に関する。
【背景技術】
【０００２】
照明器具は、設置場所などに応じて、所定の光の照射角度を調整可能な構造とさせる場合がある。
【０００３】
この種の照明器具として、アーム部材と、金具と、を備えた構造が知られている（たとえば、特許文献１）。
【０００４】
特許文献１の照明器具では、灯具に金具が固定されている。金具は、平板部の両側に押え板を起立させた断面コの字形状に形成されている。アーム部材は、アーム部と、アーム部に直交した円柱状の回動部とを備えたＴ字状に形成されている。金具とアーム部材とは、回動部の摺動面に押え板の内面が接している。
【０００５】
特許文献１の照明器具では、灯具の照射光の照射角度を調整できるように、金具が軸支部材によりアーム部材を、両脇から回動可能に軸支している。
【先行技術文献】
【特許文献】
【０００６】
【特許文献１】特開２００７−１２２９９１号公報
【発明の概要】
【発明が解決しようとする課題】
【０００７】
ところで、照明器具では、より施工作業性に優れた構成が求められており、上述の照明器具の構成だけでは十分でなく、更なる改良が求められている。
【０００８】
本発明の目的は、より施工作業性に優れた照明器具を提供することにある。
【課題を解決するための手段】
【０００９】
本発明の照明器具は、灯具部と、取付部材と、を備えている。上記灯具部は、光源を保持する。上記取付部材は、上記灯具部に結合することができるように構成されている。上記取付部材は、被設置部に取り付けられる。上記灯具部および上記取付部材のいずれか一方には、軸部が設けられている。上記灯具部および上記取付部材の他方には、上記軸部を案内する案内路を備えている。上記案内路は、上記軸部の軸方向と直交する方向に沿って、上記軸部を挿入する開口端から上記軸部を受ける終端位置まで上記軸部を案内するように構成されている。上記灯具部と上記取付部材とは、上記軸部が上記開口端から上記終端位置までの上記案内路の途中にある場合、上記軸部を中心に回転可能に構成されている。上記灯具部と上記取付部材とは、上記軸部が上記終端位置にある場合、上記軸部を中心に回転不能に構成されていることを特徴とする。
【発明の効果】
【００１０】
本発明の照明器具は、より施工作業性に優れた構造とすることが可能となる。
【図面の簡単な説明】
【００１１】
【図１】図１は、実施形態の照明器具を示す正面側の分解斜視図である。
【図２】図２は、実施形態の照明器具を示す背面側の分解斜視図である。
【図３】図３は、実施形態の照明器具を示す側面図である。
【図４】図４は、実施形態の照明器具の施工作業を説明する側面図である。
【図５】図５は、実施形態の照明器具を示す一部破断した別の側面図である。
【発明を実施するための形態】
【００１２】
以下では、本実施形態の照明器具１０について、図１ないし図５を参照して説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１３】
本実施形態の照明器具１０は、図１ないし図５に示すように、灯具部１と、取付部材２と、を備えている。灯具部１は、光源１ａを保持する。取付部材２は、灯具部１に結合することができるように構成されている。取付部材２は、被設置部１１に取り付けられる。灯具部１および取付部材２のいずれか一方には、軸部４が設けられている。図中においては、灯具部１および取付部材２のいずれか一方として、取付部材２に軸部４が設けられた例を示している。灯具部１および取付部材２の他方には、軸部４を案内する案内路５ａを備えている。図中においては、灯具部１および取付部材２の他方として、灯具部１に案内路５ａを備えた例を示している。案内路５ａは、軸部４の軸方向と直交する方向に沿って、図１ないし図５で示すように、軸部４を挿入する開口端５ａａから軸部４を受ける終端位置５ａｂまで軸部４を案内するように構成されている。灯具部１と取付部材２とは、軸部４が開口端５ａａから終端位置５ａｂまでの案内路５ａの途中にある場合、軸部４を中心に回転可能に構成されている。灯具部１と取付部材２とは、軸部４が終端位置５ａｂにある場合、軸部４を中心に回転不能に構成されている。
【００１４】
本実施形態の照明器具１０では、灯具部１と取付部材２とは、軸部４が案内路５ａの途中にある場合、回転可能に構成され、軸部４が終端位置５ａｂにある場合、軸部４を中心に回転不能な構成で、より施工作業性に優れた構造とすることが可能となる。
【００１５】
本実施形態の照明器具１０は、灯具部１と、取付部材２とに加え、結合部３を備えている。灯具部１は、光源１ａを点灯させる点灯回路部１ｂと、光源１ａおよび点灯回路部１ｂを保持する器具本体１ｃと、器具本体１ｃを支持する支持体１ｄと、を備えている。
【００１６】
光源１ａは、ＬＥＤ(Light Emitting Diode)と、実装基板と、光学部材１ａａと、を備えている。ＬＥＤは、ＬＥＤチップと、パッケージと、封止部とを有している。パッケージは、凹所を備えている。パッケージは、ＬＥＤチップを凹所に収納する。封止部は、パッケージの凹所でＬＥＤチップを覆う。ＬＥＤチップは、たとえば、青色ＬＥＤチップを用いることができる。封止部は、黄色蛍光体が含有されていてもよい。黄色蛍光体は、青色ＬＥＤチップから放射される青色光で励起されて黄色光を放射する。ＬＥＤは、青色ＬＥＤチップから放射される青色光と、黄色蛍光体から放射される黄色光との混色により白色光を放射させることができる。
【００１７】
実装基板は、長尺の平板状の外形形状をしている。実装基板は、表面に所定の形状の配線が形成されている。配線は、複数のＬＥＤを適宜に電気的に接続させることができるように形成されている。複数のＬＥＤは、実装基板の表面にマトリックス状に配置されている。実装基板は、複数のＬＥＤに電力を給電できるように構成されている。実装基板は、たとえば、プリント基板を用いることができる。実装基板は、プリント基板だけに限らず、たとえば、セラミック基板、金属ベースプリント配線板などを用いてもよい。配線の材料としては、たとえば、銅や銅合金を用いることができる。
【００１８】
光学部材１ａａは、ＬＥＤが実装された実装基板を覆っている。光学部材１ａａは、長尺の板状に構成されている。光学部材１ａａは、ＬＥＤから放射される光に対して透光性を有している。光学部材１ａａは、複数個のＬＥＤそれぞれに、一対一に対応して複数のレンズ部１ａｂを備えている。レンズ部１ａｂは、内部が空洞なドーム状の外形形状をしている。レンズ部１ａｂは、ＬＥＤから放射された光の配光を制御し、所望の配光特性を実現するように構成されている。
【００１９】
光学部材１ａａは、ＬＥＤから放射された光を効率よく透過できる構成が好ましい。光学部材１ａａは、たとえば、アクリル樹脂、ポリカーボネート樹脂やガラスなどの透光性材料により形成することができる。光学部材１ａａは、たとえば、射出成形により形成することができる。光学部材１ａａは、透光性材料に拡散材を含有させて形成されていてもよい。光学部材１ａａは、レンズ機能を備えた構成でもよいし、レンズ機能を備えていなくともよい。
【００２０】
本実施形態の照明器具１０では、光源１ａとして、ＬＥＤを利用しているが、ＬＥＤを利用する構成だけに限られず、有機ＥＬ(Electro Luminesces)素子、放電灯を利用した構成でもよい。
【００２１】
点灯回路部１ｂは、所定の電力を光源１ａに供給できるように構成されている。点灯回路部１ｂは、図２に示すように、電子部品１ｂａと、電源用基板１ｂｂと、を備えている。電源用基板１ｂｂは、矩形平板状の外形形状をしている。電源用基板１ｂｂは、たとえば、プリント配線板を用いることができる。電源用基板１ｂｂには、複数種の電子部品１ｂａが実装される。電子部品１ｂａは、点灯回路部１ｂを構成する各種の回路を構成するために用いられる。各種の回路としては、たとえば、フィルタ回路、昇圧回路、降圧回路、主制御回路、制御電源回路、調光制御回路などが挙げられる。点灯回路部１ｂは、各種の回路に加えて、たとえば、入力コネクタ、出力コネクタなどを備えた構成とすることができる。電子部品１ｂａとしては、たとえば、トランス、ダイオード、コンデンサ、スイッチング素子やマイクロコンピュータなどが挙げられる。入力コネクタは、外部電源と電気的に接続される。外部電源は、たとえば、商用交流電源を用いることができる。点灯回路部１ｂには、交流電力が給電され、所定の直流電力が出力できるように構成されている。
【００２２】
器具本体１ｃは、ボディ１ｃａと、パネル１ｃｂと、覆部１ｃｃと、を備えている。器具本体１ｃは、一面が開口した箱状のボディ１ｃａを３つ有している。ボディ１ｃａそれぞれは、平面視において、矩形状で長尺の外形形状をしている。器具本体１ｃは、ボディ１ｃａの短手方向に沿って、３つのボディ１ｃａを連ねて一体となるように構成されている。ボディ１ｃａは、それぞれ同じ構造で形成されている。ボディ１ｃａは、内部に光源１ａが収容できるように構成されている。ボディ１ｃａには、図１に示すように、光源１ａを収容した凹部の開口を塞ぐようにパネル１ｃｂが配置されている。パネル１ｃｂは、光源１ａからの光を透過するように透光性を有している。パネル１ｃｂは、ボディ１ｃａの内部に配置された光源１ａを、外部から保護できるように構成されている。パネル１ｃｂは、透光性のガラスや樹脂により形成することができる。
【００２３】
ボディ１ｃａは、光源１ａを構成する２つの実装基板を、内部に並べて配置できるように構成されている。ボディ１ｃａは、光源１ａが設けられた正面側と反対の背面側に、点灯回路部１ｂを配置させている。点灯回路部１ｂは、覆部１ｃｃによって、外部から機械的に保護されている。覆部１ｃｃは、一面に開口部が形成された矩形箱状の外形形状をしている。覆部１ｃｃは、点灯回路部１ｂを収納できるように構成されている。覆部１ｃｃは、ボディ１ｃａに実装された点灯回路部１ｂを覆うように、配置される。覆部１ｃｃは、図２に示すように、４隅で、固定ねじ１ｃｄによりボディ１ｃａにねじ止めされている。覆部１ｃｃは、金属製の板材の絞り加工によって、形成することができる。
【００２４】
ボディ１ｃａには、厚み方向に貫通する貫通孔１ｃｋが設けられている。貫通孔１ｃｋは、光源１ａと点灯回路部１ｂとを電気的に接続させる給電用の給電線が挿通される。器具本体１ｃでは、ボディ１ｃａの貫通孔１ｃｋに挿通された給電線により、点灯回路部１ｂから光源１ａに給電されるように構成される。
【００２５】
ボディ１ｃａと覆部１ｃｃとは、金属材料により形成されている。ボディ１ｃａは、板金の曲げ加工により形成することができる。ボディ１ｃａおよび覆部１ｃｃは、たとえば、鋼板を用いて形成することができる。ボディ１ｃａおよび覆部１ｃｃの材料は、鋼板だけに限られず、アルミニウム、ステンレスや銅合金などの金属材料により形成してもよい。照明器具１０は、ボディ１ｃａと覆部１ｃｃとを金属材料により形成することで、樹脂により形成する場合と比較して、光源１ａや点灯回路部１ｂで発生した熱を、器具本体１ｃを通して効率よく外部に放熱させることが容易となる。
【００２６】
支持体１ｄは、直方体状のボックス１ｄａと、板状の延出片１ｄｂと、を備えている。ボックス１ｄａは、一面に開口１ｄｋを有する箱体１ｄｃと、開口１ｄｋを塞ぐ蓋体１ｄｄと、を備えている。蓋体１ｄｄは、矩形平板状の外形形状をしている。ボックス１ｄａは、箱体１ｄｃと蓋体１ｄｄとで、内部が空洞な直方体状の外形形状をしている。ボックス１ｄａは、内部に結線端子１ｄｅを備えている。照明器具１０は、結線端子１ｄｅを介して、外部電源からの電力が点灯回路部１ｂに給電されるように構成されている。
【００２７】
箱体１ｄｃは、背面視において、矩形状の開口１ｄｋを望む周部の短手方向の一方に軸筒１ｄｆが設けられている。蓋体１ｄｄは、軸筒１ｄｆを挟み込むように、一対の管１ｄｇが矩形における一辺に沿って設けられている。軸筒１ｄｆと管１ｄｇとは、芯棒１ｄｈが挿通できるように構成されている。蓋体１ｄｄは、芯棒１ｄｈを軸として、箱体１ｄｃに対して開閉可能に取り付けられている。箱体１ｄｃは、背面視において、長手方向の一端側に、延出片１ｄｂが長手方向に沿って設けられている。箱体１ｄｃは、背面視において、一対の延出片１ｄｂが短手方向において、対向して設けられている。延出片１ｄｂは、箱体１ｄｃの長手方向における側面から開口１ｄｋと反対側に延びるように設けられている。支持体１ｄは、３つのボディ１ｃａのうち、真中のボディ１ｃａを挟むように、一対の延出片１ｄｂが器具本体１ｃに取り付けられている。延出片１ｄｂの先端部は、保持ねじ１ｍにより器具本体１ｃにねじ止めされるように構成されている。
【００２８】
箱体１ｄｃは、箱体１ｄｃの短手方向に沿った側面から開口１ｄｋと反対の正面側にかけて突出するように湾曲した曲面を有する突曲部１ｄｓを備えている。突曲部１ｄｓは、円筒の一部を構成するように形成されている。突曲部１ｄｓは、円筒の両端が塞がれるように、側板部１ｄｕを備えている。箱体１ｄｃは、突曲部１ｄｓを挟み込むように、側板部１ｄｕと対向する側壁片１ｄｔを備えている。側板部１ｄｕと側壁片１ｄｔとの間には、溝部１ｄｐが構成されている。突曲部１ｄｓは、湾曲した曲面の中央部に箱体１ｄｃの内部と連通する挿通孔１ｄｍを有している。挿通孔１ｄｍは、曲面に沿って、長円形に形成されている。突曲部１ｄｓは、湾曲した曲面に第１嵌合部１ｄｊを備えている。第１嵌合部１ｄｊは、突曲部１ｄｓの曲面に沿って、曲面から突出する複数の第１突条１ｄｒを有している。第１突条１ｄｒは、円筒の一部を構成する突曲部１ｄｓの軸方向に延びるように形成されている。第１嵌合部１ｄｊは、複数の第１突条１ｄｒにより、凹凸を構成している。
【００２９】
側壁片１ｄｔは、円筒の一部を構成する突曲部１ｄｓの軸方向における両端に設けられている。側壁片１ｄｔは、平板状の外形形状をしている。側壁片１ｄｔには、端から切り欠かれるように設けられた案内路５ａを備えている。側壁片１ｄｔは、側面視において、箱体１ｄｃの開口１ｄｋと反対側に案内路５ａの開口端５ａａが形成されている。側壁片１ｄｔは、側面視において、箱体１ｄｃの開口１ｄｋ側に案内路５ａの終端位置５ａｂが形成されている。言い換えれば、灯具部１は、光源１ａの光の放射方向と反対側に切り欠くように設けられた案内路５ａを備えている。一対の側壁片１ｄｔの案内路５ａは、それぞれの軸部４が挿入できるように形成されている。案内路５ａは、軸部４が案内できるように軸部４の外形よりも若干大きい大きさに形成されている。案内路５ａは、軸部４の挿入がし易いように、開口端５ａａが外方に開くように大きく形成されている。
【００３０】
ボックス１ｄａは、金属材料により形成することができる。ボックス１ｄａは、たとえば、アルミニウムダイカストにより形成することができる。ボックス１ｄａは、外部電源からの電源線が挿通孔１ｄｍから挿通され、結線端子１ｄｅで接続できるように構成されている。結線端子１ｄｅは、点灯回路部１ｂを介して、光源１ａと電気的に接続されている。挿通孔１ｄｍは、給電用の電源線だけでなく、信号線が挿通されてもよい。照明器具１０は、信号線により外部から伝送された制御信号で光源１ａの点灯が制御されるように構成されていてもよい。
【００３１】
取付部材２は、固定部２ｂと、載置部２ｃとを有している。固定部２ｂは、円筒状の外形形状をしている。固定部２ｂは、被設置部１１となる支柱１１ａの先端が挿入できるように、支柱１１ａの外形よりも若干大きい内形を備えた挿入孔２ａｂが形成されている。支柱１１ａには、たとえば、外形が円筒状のポールを利用することができる。固定部２ｂは、円筒状の軸方向に沿って、３つの固定孔２ｂｂが所定の間隔で設けられている。固定孔２ｂｂは、図５に示すように、固定部２ｂの厚み方向に貫通している。固定部２ｂは、支柱１１ａの先端が挿入された状態で、固定孔２ｂｂに挿入された取付ねじ２ａを用いて、支柱１１ａに取り付けられるように構成されている。
【００３２】
載置部２ｃは、図２に示すように、固定部２ｂの一端を塞ぐように形成される湾曲部２ｃａと、湾曲部２ｃａから突出する突出部２ｃｂと、を備えている。湾曲部２ｃａは、円筒の一部を構成するように、凹んだ曲面を有している。湾曲部２ｃａは、中央部に固定部２ｂにおける円筒状の内部と連通する連通孔２ａａを有している。湾曲部２ｃａは、第１嵌合部１ｄｊと嵌め合うことが可能な第２嵌合部２ｃｄを備えている。第２嵌合部２ｃｄは、円筒の一部を構成する湾曲部２ｃａの軸方向に沿って、２か所に設けられている。第２嵌合部２ｃｄは、円筒の一部を構成する湾曲部２ｃａの軸周りに沿って、２か所に設けられている。言い換えれば、湾曲部２ｃａは、連通孔２ａａを介して点対称の４か所に、第２嵌合部２ｃｄを備えている。
【００３３】
第２嵌合部２ｃｄは、湾曲部２ｃａの曲面に沿って、曲面から突出する第２突条２ｃｅが複数形成されている。第２突条２ｃｅは、円筒の一部を構成する湾曲部２ｃａの軸方向に延びるように形成されている。第２嵌合部２ｃｄは、複数の第２突条２ｃｅにより、凹凸を有している。
【００３４】
突出部２ｃｂは、円筒の一部を構成する湾曲部２ｃａの軸方向における両端に設けられている。突出部２ｃｂは、平板状の外形形状をしている。突出部２ｃｂは、側面視において、円弧状に形成されている。突出部２ｃｂは、先端部に軸部４が設けられている。軸部４は、突出部２ｃｂの厚み方向に沿って、突出するボスで形成されている。一対の突出部２ｃｂは、それぞれの軸部４が互いに離れるように突出している。軸部４は、ねじ挿通孔４ａａが設けられている。ねじ挿通孔４ａａには、雌ねじが形成されている。
【００３５】
取付部材２は、固定部２ｂと、載置部２ｃとが一体的に形成されている。取付部材２は、金属材料により形成することができる。取付部材２は、たとえば、アルミニウムダイカストにより形成することができる。
【００３６】
結合部３は、結合ねじ３ａと、ワッシャ３ｂとを備えている。結合ねじ３ａは、軸部４の軸方向に沿ったねじ挿通孔４ａａの内表面に設けられた雌ねじに締め付けられる雄ねじを構成している。結合ねじ３ａは、ねじ挿通孔４ａａの雌ねじに締め付けられることで、ワッシャ３ｂを介して、灯具部１と取付部材２とを結合させることができる。結合部３は、灯具部１と取付部材２とを結合できる構成であればよく、結合ねじ３ａとワッシャ３ｂを備えた構成だけに限られない。結合部３は、灯具部１と取付部材２とを結合させるために、結合ねじ３ａとナットを備えた構成でもよい。
【００３７】
言い換えれば、本実施形態の照明器具１０では、灯具部１と取付部材２とを結合する結合部３を備えている。軸部４は、灯具部１および取付部材２のいずれか一方から突出するボスである。結合部３は、ボスが終端位置５ａｂにある場合、ボスに固定されることで、灯具部１と取付部材２とを結合するように構成されている。
【００３８】
なお、照明器具１０では、側壁片１ｄｔの案内路５ａと、突出部２ｃｂの軸部４とが設けられ、灯具部１の側壁片１ｄｔが取付部材２の突出部２ｃｂを覆うように被せられることで、灯具部１と取付部材２との間にゴミなどの異物が進入することを抑制できる。照明器具１０では、灯具部１と取付部材２との間に異物が進入することを抑制できることで、軸部４を中心とする回転がしづらくなることを抑制することもできる。
【００３９】
次に、本実施形態の照明器具１０の組立工程について、簡単に説明する。
【００４０】
照明器具１０の組立工程では、光源１ａと点灯回路部１ｂとが器具本体１ｃに取り付けられた灯具部１を予め準備している。組立工程では、予め結合部３により、灯具部１が取付部材２に対して所定の回転角度で結合されている。組立工程では、取付部材２に設けられた軸部４を、灯具部１のボックス１ｄａにおける案内路５ａの開口端５ａａから挿入して終端位置５ａｂまで軸部４を案内するよう配置される。
【００４１】
灯具部１と取付部材２とは、軸部４が終端位置５ａｂにある場合、突曲部１ｄｓにおける第１嵌合部１ｄｊと、湾曲部２ｃａにおける第２嵌合部２ｃｄとが嵌め合される。灯具部１と取付部材２とは、第１嵌合部１ｄｊと第２嵌合部２ｃｄとが嵌め合されることで、軸部４を中心に回転不能にされている。照明器具１０では、第１嵌合部１ｄｊと第２嵌合部２ｃｄとが嵌め合された状態で、軸部４のねじ挿通孔４ａａに結合された結合ねじ３ａを締めることで、灯具部１と取付部材２とを結合されている。
【００４２】
組立工程では、最初に、地上面から突出する支柱１１ａの先端１１ａａを、灯具部１が結合された取付部材２の挿入孔２ａｂに挿入し、取付ねじ２ａを用いて取り付けられる。取付部材２は、支柱１１ａに、取付ねじ２ａにより固定される。
【００４３】
組立工程では、支柱１１ａの内部を伝って導出される電源線が、取付部材２に設けた連通孔２ａａから灯具部１の挿通孔１ｄｍに挿通される。組立工程では、ボックス１ｄａの蓋体１ｄｄを開いて、挿通孔１ｄｍに挿通された電源線を、ボックス１ｄａ内の結線端子１ｄｅと電気的に接続させる。
【００４４】
組立工程では、電源線と結線端子１ｄｅとを電気的に接続させた後、箱体１ｄｃの開口１ｄｋを塞ぐように、蓋体１ｄｄが閉じられる。照明器具１０では、予め光源１ａが取付部材２に対して所定の回転角度で結合されていので、光源１ａからの光を所定の照射角度で放射させることができる。
【００４５】
以下では、本実施形態の照明器具１０における光源１ａの照射角度の調整について、比較例の照明器具と対比して説明する。
【００４６】
照明器具は、たとえば、屋外で使用される道路灯や街路灯などに用いられる場合、耐久性の高い構造とするために、光源を保持する灯具部が丈夫で重量が重くなる傾向にある。そのため、照明器具は、比較例として、特許文献１のごとき構造を用いる場合、取付部材に対応するアーム部材が、灯具部に対応する金具が設けられた灯具を保持できず、光の照射角度を維持できない場合がある。また、照明器具では、光の照射角度を調整するために、灯具部と、取付部材とが分離でき、灯具部と取付部材とに挿通するボルトを締めて、灯具部と取付部材とをねじ止め固定する別の比較例の構造とすることも考えられる。
【００４７】
しかしながら、照明器具は、被設置部が比較的高所にある支柱の先端に取り付けられる場合もあり、施工作業が行いにくい環境下にある。別の比較例の照明器具の構造では、施工作業が行いにくい環境下で、ボルトを外して、灯具部と取付部材との回転角度を調整しようとすれば、取付部材から灯具部が外れて落ちるおそれがある。
【００４８】
これに対し、本実施形態の照明器具１０では、灯具部１と取付部材２との結合を緩めた状態で、軸部４を案内路５ａの途中の位置に配置することで、軸部４の軸周りに灯具部１と取付部材２とを回転可能とすることができる。
【００４９】
照明器具１０では、案内路５ａの途中の位置に軸部４がある状態で、仮に何らかの原因により、灯具部１が落下した場合でも、軸部４が案内路５ａに沿って移動するように規制され、軸部４の移動が終端位置５ａｂで最終的に止まる。また、照明器具１０では、灯具部１の第１嵌合部１ｄｊが、取付部材２の第２嵌合部２ｃｄと嵌め合わされる。照明器具１０は、第１嵌合部１ｄｊと第２嵌合部２ｃｄとが嵌め合わされることで、軸部４の軸周りに、灯具部１が取付部材２に対して回転することを規制する。照明器具１０は、軸部４の移動が終端位置５ａｂで最終的に止まり、第１嵌合部１ｄｊと第２嵌合部２ｃｄとが嵌め合わされることで、取付部材２から灯具部１が外れて落ちることを防止することができる。
【００５０】
以下では、照明器具１０における光の照射角度を調整する施工作業について、図３ないし図５を参照しながらより詳細に説明する。施工作業では、当初、鉛直方向に沿って設けられた支柱１１ａと直交する図３に示す照明器具１０の状態から、最終的に、支柱１１ａと所定の角度で交差する図５に示す照明器具１０の状態に照射調整を調整する例を説明する。
【００５１】
照明器具１０の施工作業では、軸部４のねじ挿通孔４ａａから抜けるように、結合ねじ３ａを緩められる。施工作業では、結合ねじ３ａが緩められた状態で、灯具部１を取付部材２から離れるように鉛直方向に沿って持ち上げられる。灯具部１と取付部材２とでは、軸部４が案内路５ａに沿って鉛直方向の上方に移動するので、第１嵌合部１ｄｊと、第２嵌合部２ｃｄとが離れた状態となる。
【００５２】
次に、施工作業では、図４に示すように、軸部４が終端位置５ａｂから離れるので、第１嵌合部１ｄｊと第２嵌合部２ｃｄとが離れた状態となる。照明器具１０では、第１嵌合部１ｄｊと第２嵌合部２ｃｄとが離れることで、第１嵌合部１ｄｊの第１突条１ｄｒにより構成された凹凸と、第２嵌合部２ｃｄの第２突条２ｃｅにより構成された凹凸とが離れる。照明器具１０では、第１嵌合部１ｄｊの第１突条１ｄｒにより構成された凹凸と、第２嵌合部２ｃｄの第２突条２ｃｅにより構成された凹凸とが離れることで、灯具部１の取付部材２に対する軸部４の軸周りの回転が可能となる。
【００５３】
施工作業では、軸部４が開口端５ａａから終端位置５ａｂまでの案内路５ａの途中の位置において、灯具部１の取付部材２に対する軸部４の軸周りの回転を適宜の回転位置にした後、再び軸部４を終端位置５ａｂに当接させるように配置させる。照明器具１０では、軸部４が終端位置５ａｂに配置されると、灯具部１が取付部材２に載せ置かれる。
【００５４】
施工作業では、案内路５ａに沿って軸部４を移動させ、終端位置５ａｂに配置させることで、第１嵌合部１ｄｊと第２嵌合部２ｃｄとを当接させる。照明器具１０では、第１嵌合部１ｄｊと第２嵌合部２ｃｄとが当接することで、第１嵌合部１ｄｊの第１突条１ｄｒにより構成された凹凸と、第２嵌合部２ｃｄの第２突条２ｃｅにより構成された凹凸とが嵌め合される。照明器具１０では、第１嵌合部１ｄｊの第１突条１ｄｒにより構成された凹凸と、第２嵌合部２ｃｄの第２突条２ｃｅにより構成された凹凸とが嵌め合されることで、灯具部１の取付部材２に対する軸部４の軸周りの回転が規制される。
【００５５】
灯具部１を取付部材２に載せ置く場合、灯具部１と取付部材２とは、軸部４が案内路５ａに沿って鉛直方向に移動するから、灯具部１の自重により、第１嵌合部１ｄｊと、第２嵌合部２ｃｄとが嵌め合された状態となる。
【００５６】
次に、施工作業では、結合ねじ３ａと突出部２ｃｂとで側壁片１ｄｔを挟み持つように、結合ねじ３ａが軸部４のねじ挿通孔４ａａに締め付けられることで、灯具部１と取付部材２とを一体的に結合させることができる。照明器具１０は、第１嵌合部１ｄｊと第２嵌合部２ｃｄとが嵌め合された状態で、軸部４のねじ挿通孔４ａａに結合部３となる結合ねじ３ａを締めることで、灯具部１と取付部材２とが結合される。
【００５７】
施工作業では、灯具部１の取付部材２に対する軸部４の軸周りの回転を適宜の位置にして光の照射角度を調整する際、結合ねじ３ａが外れるなどにより、案内路５ａの途中の位置に軸部４がある状態で、誤って灯具部１が落下するおそれもある。施工作業では、案内路５ａの途中の位置に軸部４がある状態で灯具部１が落下しても、軸部４が案内路５ａに沿って移動するため、灯具部１の突曲部１ｄｓが取付部材２の載置部２ｃに載せ置かれる。照明器具１０では、灯具部１の突曲部１ｄｓが取付部材２の載置部２ｃに載せ置かれると、第１嵌合部１ｄｊと、第２嵌合部２ｃｄとが嵌め合される。施工作業では、第１嵌合部１ｄｊと、第２嵌合部２ｃｄとが嵌め合されることで、灯具部１の取付部材２に対する軸部４の軸周りの回転も規制される。
【００５８】
本実施形態の照明器具１０では、取付部材２を被設置部１１に取り付けることができる限り、円筒状のポールを被設置部１１に利用する構成だけに限られず適宜に他の構造に利用することができる。照明器具１０は、灯具部１に軸部４を設け、取付部材２に軸部４を案内する案内路５ａを備えた構造でも、本実施形態と同様に、より施工作業性に優れた構成とすることができる。
【符号の説明】
【００５９】
１  灯具部
１ａ  光源
２  取付部材
３  結合部
４  軸部
５ａ  案内路
５ａａ  開口端
５ａｂ  終端位置
１０  照明器具
１１  被設置部
【図１】
2017073233.tif 000003
【図２】
2017073233.tif 000004
【図３】
2017073233.tif 000005
【図４】
2017073233.tif 000006
【図５】
2017073233.tif 000007